(57)【特許請求の範囲】
【請求項１】
遊技面を構成する前扉が筐体の前方開口部に開閉可能に取り付けられ、上記前扉に少なくとも上部ランプ及びスピーカが設けられたスロットマシンにおいて、
上記前扉の開閉を検出する扉開閉検出手段と、
この扉開閉検出手段の信号を受け、前扉が実際に開状態のときだけでなく前扉が開状態から閉じられた時点から所定時間が経過するまでの間上記上部ランプを点灯又は点滅させるとともに、上記スピーカから前扉が開かれた時点で第１の警報音を、前扉が閉じられた時点で第２の警報音をそれぞれ発するように制御する報知制御手段と、
上記所定時間を１０〜２０秒の間で任意に設定するための設定器とを備えたことを特徴とするスロットマシン。
【発明の詳細な説明】
【０００１】
【発明の属する技術分野】
本発明は、遊技機としてのスロットマシンに関する。
【０００２】
【従来の技術】
一般に、スロットマシンにおいては、リール装置や制御ボックスなどを収納する筐体の前方開口部に、リール表示窓などの表示部及び操作部を有する前扉がヒンジを介して開閉可能に取り付けられており、この前扉には管理者以外の者が開放するのを防止するために施錠装置が設けられている。また、パチンコ機においては、遊技盤や操作ハンドルなどを備えた表板が機枠に対し開閉可能に取り付けられているとともに、表板の遊技盤を覆うガラス扉が表板に開閉可能に取り付けられており、上記表板及びガラス扉にもそれぞれ施錠装置が設けられている。
【０００３】
しかし、上記スロットマシンの前扉あるいはパチンコ機の表板やガラス扉など遊技機の遊技面を構成する扉は、施錠装置を設けている場合でも不正目的のために無断で開放される虞があり、これを未然に防止するために、施錠装置とは別に不正警報装置を装備することが古くから提案され、実用化されている。例えば実公昭３９−７５８１号公報には、パチンコ機の表板に面する機枠に絶縁ケーシングを埋設し、このケーシング内に電導性の接触子をバネによって機枠面に圧出されるように配置し、表板の開放によりブザーやパイロットランプなどからなる警報器の回路を閉成して音と光で警報を発するようにしたものが開示されている。
【０００４】
上記例示の公報のものでは、表板などの扉を閉じれば警報が発せられなくなることから、不正行為を素早く行って直ちに閉じてしまうと管理者が警報を聞き逃したり、見逃したりすることがあり、また係員が知らせを受けて駆けつけたときには既に警報が止まっており、いずれの遊技機が警報を出したものか判別できないという不具合もある。これを解決するために、実公昭４０−９１５７号公報には、警報器の回路にリレースイッチを設け、扉を閉じて閉路スイッチを開いたときでもリレースイッチにより警報器に自己回路を閉成させることにより、電源を断ってリレースイッチを失磁させない限り警報が発令状態に維持されるようにすることが開示されている。
【０００５】
【発明が解決しようとする課題】
ところが、パチンコホールなどの遊技場では、営業中での通常の点検時などにも扉の開閉を行う必要があるため、扉を開放する度に電源を断つなどの特別の解除操作をしない限り警報を中断できないようにした場合、係員又は管理者はその解除操作が面倒なものと感じるだけでなく、解除操作のタイミングが遅れ、警報が必要以上に長時間に亘って発せられる虞がある。
【０００６】
本発明はかかる点に鑑みてなされたものであり、その課題とするところは、特に、スロットマシンの前扉が一旦開放された後再度閉じられたとき、警報の発令状態を所定時間に限り維持することにより、警報解除の操作を省いて管理の容易化を図りながら、警報による前扉の不正開放の防止効果を高め得るスロットマシンを提供するものである。
【０００７】
【課題を解決するための手段】
上記の課題を解決するため、請求項１に係る発明は、遊技面を構成する前扉が筐体の前方開口部に開閉可能に取り付けられ、上記前扉に少なくとも上部ランプ及びスピーカが設けられたスロットマシンにおいて、上記前扉の開閉を検出する扉開閉検出手段と、この扉開閉検出手段の信号を受け、前扉が実際に開状態のときだけでなく前扉が開状態から閉じられた時点から所定時間が経過するまでの間上記上部ランプを点灯又は点滅させるとともに、上記スピーカから前扉が開かれた時点で第１の警報音を、前扉が閉じられた時点で第２の警報音をそれぞれ発するように制御する報知制御手段と、上記所定時間を１０〜２０秒の間で任意に設定するための設定器とを備える構成とする。
【０００８】
この構成では、前扉を一旦開放した後素早く閉じたときでも、その前扉の開閉を検出する扉開閉検出手段の信号を受ける報知制御手段の制御の下に、前扉の上部ランプが前扉の閉じ時点から所定時間が経過するまでの間継続的に点灯又は点滅するとともに、前扉のスピーカが前扉の開時点で第１の警報音を、前扉の閉時点で第２の警報音をそれぞれ発する。このため、たとえ警報発生の確認が遅れて係員などがその場に駆けつけたとき、前扉が閉まった状態でも警報が残っており、前扉が開放されたスロットマシンの特定が明瞭となり、瞬時の不正行為に対するセキュリティを高めることができ、またそのような不正行為を未然に防止する抑止効果が得られる。しかも、営業中の点検時などで前扉を開閉するときには、係員などは警報停止のために特別の操作を行う必要はなく、また警報時間も限られているので遊技者に不快感を与えることもない。
【０００９】
その上、上記上部ランプ及びスピーカは、スロットマシンの前扉に遊技内容と関連して装備されるものであり、これら既存の機器を不正開放防止のための報知手段として兼用することにより、前扉が開放されたスロットマシンの特定を直ちに行うことができるとともに、実施化を容易に図ることができる。
【００１０】
【００１１】
さらに、遊技場の管理者などは、スロットマシンの前扉の閉じ時点から警報が継続して発せられる時間を設定器により遊技場の大きさや係員の人数などに応じて適切に設定することができるので、不正行為の未然防止の抑止効果と遊技者の快適性の確保との両立が高い次元で図られる。
【００１２】
【発明の実施の形態】
以下、本発明の実施の形態を図面に基づいて説明する。
図１及び図２は本発明の一実施形態に係る遊技機としてのスロットマシンＡとそれに隣接する台間機Ｂとを示す。スロットマシンＡは、リール装置やメダル払出装置などの装置類（図示せず）を収納する筐体１の前方開口部に遊技面を構成する前扉２がその左側辺をヒンジ側として開閉可能に取り付けられてなる。
【００１３】
上記前扉２の上部にはＬＣＤや７セグメントＬＥＤなどからなる大型の表示装置４、上部ランプ５及び左右一対のスピーカ６，６が設けられているとともに、前扉２の中央部には３つのリール表示窓１１ａ，１１ｂ，１１ｃ、５つの有効化表示ランプ１２ａ，１２ｂ，１２ｃ，１２ｄ，１２ｅ、スタート待ちランプ１３、リプレイランプ１４、ゲーム終了ランプ１５、クレジットランプ１６、メダル貸出枚数表示部１７、クレジット枚数表示部１８、ヒット枚数表示部１９、メダル投入口２０、スタートレバー２１、３つの停止ボタン２２ａ，２２ｂ，２２ｃ、３ベットボタン２３、１ベットボタン２４、貸出ボタン２５、精算ボタン２６及びドア施錠装置２７が設けられている。また、前扉２の下部にはメダル払出口２８及びメダル受け皿２９が設けられている。
【００１４】
上記３つのリール表示窓１１ａ〜１１ｃ及びその周辺には横３本と斜め２本の計５本の入賞ラインＬ１〜Ｌ５が表示されており、メダル投入口２０に投入されたメダルの枚数が１枚であれば中央の入賞ラインＬ１のみが、２枚であれば横３本の入賞ラインＬ１〜Ｌ３が、３枚であれば５本全ての入賞ラインＬ１〜Ｌ５がそれぞれ有効化され、またこの有効化された入賞ラインＬ１〜Ｌ５に対応する有効化表示ランプ１２ａ〜１２ｅが点灯する。これらのリール表示窓１１ａ〜１１ｃからは、筐体側のリール装置の３つの回転リール３１ａ，３１ｂ，３１ｃが見えるようになっている。各回転リール３１ａ〜３１ｃの外周面にはそれぞれ複数の図柄（図示せず）が描かれており、リール停止時には各回転リールの３駒分の図柄が各入賞ラインＬ１〜Ｌ５上に整列して並ぶようになっている。
【００１５】
上記スタートレバー２１は３つの回転リール３１ａ〜３１ｃを一斉に回転始動させるものであり、上記３つの停止ボタン２２ａ〜２２ｃはそれぞれ対応する回転リール３１ａ〜３１ｃの回転を個別に停止させるものである。そして、上述の如くメダルの投入枚数に応じて有効化された入賞ラインＬ１〜Ｌ５上に所定の図柄の組み合わせが揃うとその組み合わせに応じた獲得枚数がヒット枚数表示部１９に表示され、その枚数のメダルがメダル払出口２８からメダル受け皿２９に払い出されるようになっている。
【００１６】
上記スタート待ちランプ１３は、メダル投入後スタートレバー２１を操作するまでの間に点灯するものであり、上記リプレイランプ１４は、リール停止時に有効化された入賞ラインＬ１〜Ｌ５上にリプレイの図柄が揃ってメダルの投入無しで再度ゲームができる場合に点灯するものである。また、ゲーム終了ランプ１５はゲーム終了時に点灯するものであり、クレジットランプ１６はクレジットモードのときに点灯するものである。
【００１７】
上記スロットマシンＡは、複数枚のメダルを予めメダル投入口２０から投入して預けておき、この預けメダルを消費しつつゲームを行うことができるいわゆるクレジット形式のものであり、クレジット枚数表示部１８には預けメダルの枚数が表示される。そして、スタートレバー２１の操作に先立って３ベットボタン２３を押すと３枚のメダルが、また１ベットボタン２４を１回押すと１枚のメダルが、２回押すと２枚のメダルがそれぞれ投入された場合と同様に入賞ラインＬ１〜Ｌ５が有効化される。精算ボタン２６は、預けメダルを精算してメダル払出口２８からメダル受け皿２９に払い出すためのものである。
【００１８】
また、スロットマシンＡは、隣接する台間機Ｂと信号授受可能に接続されていて、台間機Ｂのカード挿入口３６に所定のプリペイドカードを挿入した後、あるいは台間機Ｂの紙幣投入口３７に紙幣（例えば千円札）を投入した後台間機Ｂのデータ転送ボタン３８を押すとそのプリペイドカード又は紙幣に相当するメダル枚数がメダル貸出枚数表示部１７に表示される。そして、貸出ボタン２５を押すとメダル貸出枚数表示部１７に表示されたメダル枚数の全部又は一部（例えば１０枚分）が預けメダルとしてクレジット枚数表示部１８に転送表示されるようになっている。
【００１９】
上記ドア施錠装置２７は管理者以外の者が前扉２を無断で開放するのを防止するためのものであるが、このドア施錠装置２７とは別に前扉２の無断開放を未然に防止するために、本発明の一実施形態に係る不正警報装置がスロットマシンＡに装備されており、その構成要素の一つである前扉２の開閉を検出する扉開閉検出手段としてのドアセンサ４１が前扉２のヒンジ側と反対側の右側辺の裏面側上部に設けられている。
【００２０】
上記ドアセンサ４１は、図３に詳示するように、プッシュ型スイッチからなるもので、スイッチケース４１ａ内より突出するスイッチボタン４１ｂを筐体１の前端面に向けた状態で前扉２の裏面側に取付金具（図示せず）を介して取り付けられている。そして、前扉２の閉状態では図３（ａ）に示す如くスイッチボタン４１ｂがスイッチケース４１ａ内に埋没してＯＮとなり、この閉状態から前扉２を若干開けるだけで図３（ｂ）に示す如くスイッチボタン４１ｂがスイッチケース４１ａ内より突出してＯＦＦに切り替わる。尚、図３中、４６は筐体１の前端部に設けられたカバー部材であって、前扉２と筐体１との隙間からの不正行為を防止するためのものである。
【００２１】
図４はスロットマシンＡの制御系の構成を示し、５０はスロットマシンＡの遊技内容全体を制御するメイン制御基板、６０はスロットマシンＡの遊技内容に関連して遊技状態を表示したり演出効果を高めたりするためにスピーカ６及び上部ランプ５や有効化表示ランプ１２ａ〜１２ｅなどのランプ類を制御する効果音・ランプ制御基板、７０はスロットマシンＡの遊技内容や遊技状況などを説明表示したり演出効果を高めたりするために大型の表示装置４を制御する表示制御基板である。
【００２２】
上記メイン制御基板５０は、制御主体であるメインＣＰＵ５１と、プログラム及び固定データを格納するＲＯＭ５２と、データの読み書きに用いられるＲＡＭ５３とを有している。メインＣＰＵ５１は、ＲＯＭ５２に格納した遊技用プログラムに基づいて、スタートレバー２１や停止ボタン２２ａ〜２２ｃなどの遊技操作スイッチ類からの信号をＩ／Ｏポート５４を通して受けかつＲＡＭ５３に対しデータの読み書きを行いながら、リール装置の駆動部５６及びメダル払出装置の駆動部５７を制御するようになっている。
【００２３】
上記効果音・ランプ制御基板６０及び表示制御基板７０は、それぞれサブＣＰＵ６１，７１とＲＯＭ６２，７２とＲＡＭ６３，７３とを有し、メイン制御基板５０のメインＣＰＵ５１からの指令（コマンド）を受けて被制御対象を制御するようになっている。また、効果音・ランプ制御基板６０は、本発明の不正警報装置の報知制御手段としての機能を有するもので、ドアセンサ４１からの信号を受け、前扉２の開放時にドア開閉警報処理をするようになっている。尚、図４中、６６は後述する前扉２を閉じた後の継続報知時間Ｔを１０〜２０秒の間で任意に設定するための設定器、６７は効果音・ランプ制御基板６０の出力信号を増幅してスピーカ６に送るアンプである。
【００２４】
そして、上記効果音・ランプ制御基板６０によるドア開閉警報処理は、具体的には図５に示すフローチャートに従って行われる。すなわち、図５において、先ず、ステップＳ１でドアセンサ４１がＯＦＦになるまで、つまり前扉２が開放されるまで待ち、しかる後、ステップＳ２で上部ランプ５又はその他のランプ類を点灯又は点滅させるとともに、ステップＳ３〜Ｓ５でスピーカ６から警報音として人声疑似音で「扉が開いています」を１０秒間に３回連呼した後、警報音を一旦ＯＦＦとする。
【００２５】
続いて、ステップＳ６でドアセンサ４１がＯＮになるまで、つまり前扉２が閉じられるまで待ち、しかる後、ステップＳ７でスピーカ６から警報音として人声疑似音で「扉が閉まりました」を２回連呼し、ステップＳ８で前扉２が閉じられた時点から上記設定器６６で設定した所定時間、例えば２０秒を経過するのを待つ。その後、ステップＳ９でランプ類を消灯し、警報処理を終了する。
【００２６】
図６は上記ドア開閉警報処理の場合における前扉２の開閉状態とランプ類の点灯・消灯状態と警報音発生状態との関係を示すタイムチャートである。この図からも分かるように、前扉２が開放されたときには、ランプ類が点灯（又は点滅）するとともに、「扉が開いています」という警報音が３回連呼され、また前扉２が閉じられたときにも閉じ時点から所定時間Ｔが経過するまでの間ランプ類が継続的に点灯するとともに、「扉が閉まりました」という警報音が２回連呼される。
【００２７】
このように、本実施形態においては、前扉２が一旦開放された場合には、その開放状態の時にランプ類の点灯又は点滅と「扉が開いています」という人声疑似音とにより警報が発せられるだけでなく、前扉２を閉じた時点から所定時間が経過するまでの間にもランプ類の点灯又は点灯と「扉が閉まりました」という人声疑似音とにより警報が発せられるため、たとえ警報発生の確認が遅れて係員などがその場に駆けつけたとき、前扉２が閉まった状態でも警報が残っており、前扉２が無断開放されたスロットマシンＡの特定が明瞭となる。この結果、瞬時の不正行為に対するセキュリティを高めることができ、またそのような不正行為を未然に防止する抑止効果をも得ることができる。
【００２８】
しかも、遊技場の営業中の点検時などでスロットマシンＡの前扉２を開閉するときには、係員などは警報停止のために特別の操作を行う必要はなく、管理の容易化を図ることができ、また警報時間も限られているので遊技者に不快感を与えることもない。
【００２９】
特に、上記実施形態では、前扉２を閉じた時点からのランプ類の点灯又は点滅による警報の継続報知時間Ｔが設定器６６により１０〜２０秒の間で任意に設定可能になっているため、遊技場の大きさや係員の人数などに応じてその継続報知時間Ｔを適切に設定して、不正行為の抑止効果と遊技者の快適性の確保との両立を高い次元で図ることができる。
【００３０】
その上、不正警報装置の開状態報知手段としての上部ランプ５などのランプ類及びスピーカ６は、本来遊技状態を表示したり演出効果を高めたりするためにスロットマシンＡに装備されるものであり、これら既存の機器の兼用によってコスト的にも、また設計変更を要することなく実施化を容易に図ることができる。尚、上部ランプ５は、通常ボーナス遊技中に点灯してその遊技状態を表示するのに使用されており、ボーナス遊技中のドア開放検出時には遊技状態とは異なる表示態様で報知することが好ましく、例えばボーナス遊技状態を赤色で、ドア開放検出時を緑色で点灯するなど照明の色を変えたり、点滅のサイクルを早くするなど識別可能にしておけばよい。
【００３１】
尚、本発明は上記実施形態に限定されるものではなく、その他種々の形態を包含するものである。例えば上記実施形態では、前扉２の開閉を検出するドアセンサ（扉開閉検出手段）４１として、プッシュ型スイッチを用いるとともに、前扉２のヒンジ側と反対側である開放側の右側辺に設けたが、本発明は、このドアセンサを、実公昭３９−７５８１号公報に開示されるように扉のヒンジ側の左側辺に設けたり、あるいは実開平３−６７６８６号公報に開示されるように、ドア施錠装置内に設けたリミットスイッチにより施錠装置の開錠でもって扉の開放時ないし開閉を検出するようにしてもよい。
【００３２】
また、上記実施形態では、前扉２の開状態を上部ランプ５などのランプ類とスピーカ６とを併用して報知するようにしたが、開状態報知手段としては、このいずれか一方を用いるだけでもよい。スピーカ６による警報音としては、実施形態の如き人声疑似音に限らず、単なるブザー鳴動でもよい。ランプ類による報知手段としては、ランプ照明部に蛍光塗料などを塗ってなる蓄光ランプを用いて、ランプ消灯後も残光が残るようにすればいずれの遊技機がドア開閉されたかをある程度時間が経過しても識別できるという効果が得られる。ランプ類やスピーカの他に、前扉２の上部に設けた大型の表示装置４を用いて、ドア開閉の有無を表示させたり、あるいはドア開閉の所定時間の間遊技を中断して、遊技内容と直接関連するランプ類、例えばリール内部のバックライト照明用のランプを点滅状態にしたり、有効化表示ランプ１２ａ〜１２ｅをシフト点滅などさせて目立つようにしてもよい。
【００３３】
さらに、上記実施形態では、スロットマシンＡの制御系がメイン制御基板５０と効果音・ランプ制御基板６０と表示制御基板７０とからなる場合に、効果音・ランプ制御基板６０に不正警報装置の報知制御手段としての機能を兼用させたが、本発明は、効果音・ランプ制御基板６０の代わりに、メイン制御基板５０又は表示制御基板７０に報知制御手段としての機能を兼用させたり、あるいは独自の制御基板を用いて報知制御手段を構成したりしてもよい。後者の場合、その制御基板としては、他の制御基板５０，６０，７０と同様にＣＰＵやＲＯＭなどにより構成してもよく、また論理回路素子やタイマーなどを用いて構成してもよい。
【００３４】
【００３５】
【発明の効果】
以上のように、本発明のスロットマシンによれば、前扉を一旦開放した後素早く閉じたときでも、前扉の上部ランプが前扉の閉じ時点から所定時間が経過するまでの間継続的に点灯又は点滅するとともに、前扉のスピーカが前扉の開時点で第１の警報音を、前扉の閉時点で第２の警報音をそれぞれ発するため、前扉が開放されたスロットマシンの特定を確実に行うことができ、瞬時の不正行為に対するセキュリティを高めることができ、また不正行為に対する抑止効果を確保することがきる。しかも、営業中の点検時などで前扉を開閉するときには、係員などは警報停止のために特別の操作を行う必要はなく、管理の容易化を図ることができ、また警報時間も限られているので遊技者に不快感を与えることはなく、実施化を図る上で非常に有効なものである。
【００３６】
その上、スロットマシンの前扉に遊技内容と関連して装備された上部ランプ及びスピーカを不正開放防止のための報知手段として兼用するため、実施化を容易に図ることができる。さらに、前扉の閉じ時点から警報の継続時間を遊技場の大きさや係員の人数などに応じて適切に設定することができるので、不正行為の未然防止の抑止効果と遊技者の快適性の確保との両立を高い次元で図ることができるという効果を有する。
【００３７】
【００３８】
【図面の簡単な説明】
【図１】  本発明の一実施形態に係るスロットマシン及び台間機の正面図である。
【図２】  上記スロットマシンの右側面図である。
【図３】  図２のＸ−Ｘ線における拡大断面図であり、（ａ）は扉閉状態を示し、（ｂ）は扉開状態を示す。
【図４】  スロットマシンの制御系のブロック構成図である。
【図５】  ドア開閉警報処理のフローチャート図である。
【図６】  ドア開閉警報処理の場合における前扉の開閉状態とランプ類の点灯・消灯状態と警報音発生状態との関係を示すタイムチャート図である。
【符号の説明】
Ａ    スロットマシン（遊技機）
２    前扉
５    上部ランプ（開状態報知手段）
６    スピーカ（開状態報知手段）
４１    ドアセンサ（扉開閉検出手段）
６０    効果音・ランプ制御基板（報知制御手段）
６６    設定器
【図１】
0003819180.tif 000002
【図２】
0003819180.tif 000003
【図３】
0003819180.tif 000004
【図４】
0003819180.tif 000005
【図５】
0003819180.tif 000006
【図６】
0003819180.tif 000007